(57)【特許請求の範囲】
【請求項１】
空気中の塵埃を捕捉するフィルタ本体と、該フィルタ本体の両側面と下面を囲む三辺フレーム部材と、前記フィルタ本体の上面を囲む一辺フレーム部材とから成る空気清浄用フィルタであって、
前記一辺フレーム部材は前記三辺フレーム部材に対し別体又は前記三辺フレーム部材の一端部にヒンジ部により連結して、前記三辺フレーム部材に対し開閉自在とし、
前記一辺フレーム部材に挿通孔を設け、
前記三辺フレーム部材に、頂部のフランジ部と、該フランジ部よりも小径で一辺フレーム部材の厚さと同等の長さを持つ軸部と、該軸部よりも小径で前記三辺フレーム部材に設けたねじ孔に螺合するねじ部とから成るピンを設け、
前記挿通孔に前記ピンを挿通することにより前記一辺フレーム部材を前記三辺フレーム部材に対し位置決めし、
前記一辺フレーム部材を前記三辺フレーム部材に対し可撓性を有するバンドにより固定したことを特徴とする空気清浄用フィルタ。
【請求項２】
前記バンドは面ファスナとし、該面ファスナの基部は前記三辺フレーム部材に固定し、自由端は前記一辺フレーム部材に設けた対応する面ファスナに着脱自在に取り付けたことを特徴とする請求項１に記載の空気清浄用フィルタ。
【請求項３】
前記バンドは前記フランジ部を乗り越えるようにして固定したことを特徴とする請求項２に記載の空気清浄用フィルタ。
【発明の詳細な説明】
【０００１】
【発明の属する技術分野】
本発明は、建物の空気清浄装置に着脱自在に使用され、空気中の塵埃を濾過して空気を清浄化する空気清浄用フィルタに関するものである。
【０００２】
【従来の技術】
一般に、この種の空気清浄用フィルタは空気中の塵埃を捕集する濾材であるフィルタ本体と、このフィルタ本体の側面全体を囲むフレームとから成っている。フレームを不織布、プラスチック、紙などの非金属材料から形成した場合には、フィルタ本体とフレームを一体に減容して廃棄することが可能となり、環境保護の観点から有利となる。しかし、この場合にはフィルタ本体とフレームを一体にするため手間が掛かかり、フレームの強度が充分ではない。これに対し、フレームをアルミニウムなどの金属材料から形成した場合には強度が充分になる反面で、経済性や環境保護の観点からフレームを再利用することが多く、フィルタ本体をフレームに対して容易に交換し得ることが望まれている。
【０００３】
そこで、本出願人はフィルタ本体をフレームに対して容易に交換し得る空気清浄用フィルタを実公平５−１３３８５号公報において提案している。この空気清浄用フィルタはフィルタ本体としてのフィルタパックと、このフィルタパックの側面全体を囲むフレームとから構成し、フレームはフィルタパックの三辺を囲む三辺フレーム部材と、フィルタパックの残りの一辺を囲む一辺フレーム部材との組み合せとしている。そして、三辺フレーム部材と一辺フレーム部材とは、三辺フレーム部材に取り付けた板ばねと、一辺フレーム部材に取り付けた板ばねとによって分解容易に組み立てている。
【０００４】
【発明が解決しようとする課題】
しかしながら、三辺フレーム部材と一辺フレーム部材とを板ばねによって分解容易に組み立てるためには、板ばねを複雑な形状に形成する必要がある。また、三辺フレーム部材と一辺フレーム部材とを輸送時の振動などによって分解しないようにするためには、板ばねの強度を大きくする必要がある。そして、板ばねの強度を大きくした場合には、三辺フレームと一辺フレームを必要時に分解することが困難となる問題点が生ずる。
【０００５】
本発明の目的は、上述の問題点を解消し、安価な構成でフレームの組立又は分解を可能とする空気清浄用フィルタを提供することにある。
【０００６】
【課題を解決するための手段】
上記目的を達成するための本発明に係る空気清浄用フィルタは、空気中の塵埃を捕捉するフィルタ本体と、該フィルタ本体の両側面と下面を囲む三辺フレーム部材と、前記フィルタ本体の上面を囲む一辺フレーム部材とから成る空気清浄用フィルタであって、前記一辺フレーム部材は前記三辺フレーム部材に対し別体又は前記三辺フレーム部材の一端部にヒンジ部により連結して、前記三辺フレーム部材に対し開閉自在とし、前記一辺フレーム部材に挿通孔を設け、前記三辺フレーム部材に、頂部のフランジ部と、該フランジ部よりも小径で一辺フレーム部材の厚さと同等の長さを持つ軸部と、該軸部よりも小径で前記三辺フレーム部材に設けたねじ孔に螺合するねじ部とから成るピンを設け、前記挿通孔に前記ピンを挿通することにより前記一辺フレーム部材を前記三辺フレーム部材に対し位置決めし、前記一辺フレーム部材を前記三辺フレーム部材に対し可撓性を有するバンドにより固定したことを特徴とする。
【０００７】
【発明の実施の形態】
本発明を図示の実施の形態に基づいて詳細に説明する。
図１は実施の形態の分解斜視図、図２は組立斜視図であり、空気清浄用フィルタは、空気を流通させてその中の塵埃を濾過する矩体形状のフィルタパック１と、このフィルタパック１の上面を囲む一辺フレーム部材２と、フィルタパック１の両側面と下面を囲む三辺フレーム部材３とから成っている。そして、一辺フレーム部材２には一対の挿通孔４を形成し、三辺フレーム部材３には挿通孔４に係止可能な一対のピン５を取り付けている。また、一辺フレーム部材２と三辺フレーム部材３には、それらを固定するための一対の面ファスナ６と一対のバンド状の面ファスナ７をそれぞれ貼着している。
【０００８】
一辺フレーム部材２はアルミニウム等の金属材料から押し出し加工し、フィルタパック１の上面に当接する板状の本体部１１と、この本体部１１の前縁と後縁から上下方向に延在してフィルタパック１の前面と後面にそれぞれ当接するフランジ部１２、１３とを有している。挿通孔４は本体部１１の左右の端部のフランジ部１３寄りに形成し、面ファスナ６は本体部１１の表面の左右の端部寄りに貼着している。
【０００９】
なお、この実施の形態において使用する「上面」、「上下」などの用語は紙面に対する相対方向を意味している。また、「前縁」、「前面」などは空気の流通方向に対する上流側を意味し、「後縁」、「後面」などは下流側を意味している。
【００１０】
図３はフィルタパック１の詳細斜視図であり、フィルタパック１はガラス繊維、樹脂繊維などから成る帯状の濾材２１をプリーツ状に形成し、この濾材２１をプリーツ状に保持する複数本の紐状のスペーサ２２とから構成している。そして、濾材２１は図１に示すような空気清浄フィルタとなったときに、プリーツの稜線２１ａが一辺フレーム部材２と直交する方向、即ち図では上下方向となるように配置され、かつフィルタパック１は図２の矢印で示す空気の流通方向と直交する面に屏風状に固定され、その面の左右方向つまりプリーツの稜線２１ａと直交する方向に伸縮可能としている。なお、フィルタパック１の取扱いを容易にするために、濾材２１の外周面の隅部に不織布、スポンジなどから成るシート２３を貼付することが好ましい。
【００１１】
更に好ましくは、図４に示すように濾材２１の各フレーム部材と当接する四面のうち、稜線２１ａと平行な面にあるシート２３同士を上下に繋ぐようにシート２３を一体に形成し、面を全て覆うようにすることがよい。かくすることにより、フィルタパック１を三辺フレーム部材３に嵌め込む作業などの際に濾材２１を損傷することを防止できる。
【００１２】
図５は三辺フレーム部材３の斜視図であり、三辺フレーム部材３はフィルタパック１の左側面を囲む左フレーム部３１と、フィルタパック１の右側面を囲む右フレーム部３２と、フィルタパック１の下面を囲む下フレーム部３３とを備えている。これらの左フレーム部３１、右フレーム部３２、下フレーム部３３はアルミニウム等の金属材料から略断面コ字状に押し出し加工し、図示しない止めねじ等により連結している。
【００１３】
図６は右フレーム部３２の平面図、図７はピン５を取り付けた状態の右フレーム部３２の一部を切欠した正面図であり、右フレーム部３２はフィルタパック１の前面に当接する前板４１と、フィルタパック１の後面に当接する後板４２と、フィルタパック１の側面に間隔をおいて対面する側板４３とを有している。
【００１４】
右フレーム部３２の内面の隅部には、肉厚部４４を介して上下方向に貫通する断面Ｃ字状の貫通孔４５を設け、貫通孔４５の上端部と下端部はねじ孔４６としている。上方のねじ孔４６にはピン５を螺合可能とし、下方のねじ孔４６には下フレーム部３５を連結するための図示しない止めねじを螺合することを可能としている。そして、面ファスナ７の基部は側板４３の内面に貼着し、自由端は一辺フレーム部材２に設けた面ファスナ６と貼着可能に充分長くしている。
【００１５】
なお、左フレーム部３１は右フレーム部３２と左右対称となっており、左フレーム部３１には右フレーム部３２を逆さにして使用することが可能となっている。従って、左フレーム部３１は右フレーム部３２と同様な前板４１、後板４２、側板４３、肉厚部４４、貫通孔４５、ねじ孔４６を有している。
【００１６】
ピン５は三辺フレーム部材３のねじ孔４６に螺合するねじ部５ａと、このねじ部５ａよりも大径な軸部５ｂと、この軸部５ｂよりも大径なフランジ部５ｃとを下方から順次に有している。ピン５の軸部５ｂの外径は三辺フレーム部材３のねじ孔４６の内径よりも稍々大きくし、ピン５の高さを所定位置に保持することを可能としている。また、軸部５ｂの長さは一辺フレーム部材２の本体部１１の厚さと同等とし、一辺フレーム部材２をピン５のフランジ部５ｃと三辺フレーム部材３の上面との間に挟持することを可能としている。そして、フランジ部５ｃの表面には締め付け工具用のプラス溝、六角溝などを設けている。
【００１７】
この空気清浄用フィルタを組み立てる際には、フィルタパック１を三辺フレーム部材３の左フレーム部３１と右フレーム部３２の間に嵌め込む。次に、左フレーム部３１と右フレーム部３２の上端部を相互に接近する方向に狭め、一辺フレーム部材２の挿通孔４にピン５をそれぞれ挿入するようにして、一辺フレーム部材２をフィルタパック１の上面に押し付ける。
【００１８】
そして、三辺フレーム部材３の左フレーム部３１と右フレーム部３２を狭める力を除くと、図８に示すように三辺フレーム部材３が復元し、左フレーム部３１と右フレーム部３２の上部が相互に離間する方向に移動する。これにより、ピン５のフランジ部５ｃが一辺フレーム部材２の本体部１１の上面に当接し、一辺フレーム部材２を三辺フレーム部材３に押圧固定する。
【００１９】
最後に、図９に示すように三辺フレーム部材３側の面ファスナ７を一辺フレーム部材２側の面ファスナ６の上面に押し付け、一辺フレーム部材２と三辺フレーム部材３を固定する。
【００２０】
この実施の形態では、三辺フレーム部材３の両端部を狭めながら、三辺フレーム部材３の両端部に設けたピン５を一辺フレーム部材２の両端部に設けた挿通孔４にそれぞれ挿通するようにして、一辺フレーム部材２を三辺フレーム部材３に当接させ、三辺フレーム部材３を復元させることにより、ピン５に設けたフランジ部５ｃの下面を一辺フレーム部材２の上面に係合させたので、一辺フレーム部材２と三辺フレーム部材３を安価な構成で組み立て又は分解するすることが可能となり、フィルタパック１を容易に交換することができる。
【００２１】
また、三辺フレーム部材３側の面ファスナ７は、側板４３の内面から本体部１１の左フレーム部３１側と右フレーム部３２側のそれぞれの端部を外方に迂回するように取り回され、ピン５のフランジ部５ｃを乗り越えるようにして、面ファスナ６に貼付されている。
【００２２】
このようにすることで、或る程度の力で面ファスナ７を引っ張りながら面ファスナ６に貼り付けるだけで、左フレーム部３１と右フレーム部３２は相互に上端部が離れる方向に力が加わる。これにより、ピン５のフランジ部５ｃがより一層本体部１１の上面に当接して確実に固定できる。この結果、フィルタパック１の運搬、設置時に、不用意に一辺フレーム部材２が三辺フレーム部材３から外れてしまうことを確実に防止することができる。
【００２３】
なお実施の形態では、三辺フレーム部材３の左フレーム部３１、右フレーム部３２、下フレーム部３３を止めねじにより連結したが、それらを一体に形成することもできる。そして、それらを連結するために止めねじを使用しない場合には、前板４１側のねじ孔４６が不要であることは云うまでもない。
【００２４】
また、ピン５はねじ部５ａ、軸部５ｂ、フランジ部５ｃを有するようにしたが、三辺フレーム部材３の貫通孔４５にねじ孔４６を設ける代りに、ねじ部５ａ、軸部５ｂ、フランジ５ｃに相当する部分を有するタッピンねじを貫通孔４５にねじ立てすること、或いは軸部５ｂとフランジ部５ｃに相当する部分を有するピンを貫通孔４５に圧入することも可能である。
【００２５】
更に、一辺フレーム部材２を三辺フレーム部材３に対して面ファスナ６、７によって固定したが、フレーム部材２、３を合成樹脂により成形する場合には、片側については一辺フレーム部材２の一端部と三辺フレーム部材３の一端部とを一体に成形したヒンジにより連結することもできる。この場合には、面ファスナ６、７をヒンジと反対側のみに設ければよい。
【００２７】
そして、面ファスナ７は一辺フレーム部材２に設けた面ファスナ６に貼着するのではなく、三辺フレーム部材３の両側に設けた面ファスナ７を長くして、一辺フレーム部材２上において面ファスナ７同士を貼り着けるようにしてもよい。また、ゴムバンドを用いて締付力を強くすることもでき、この場合にはゴムバンドに複数の孔部を設け、この孔部に固定的な突起を係止することもできる。或いは、バンドの端部に設けた合成樹脂製の連結具同士の嵌合によって一辺フレーム部材２を固定してもよい。
【００２８】
【発明の効果】
以上説明したように本発明に係る空気清浄用フィルタは、一辺フレーム部材を三辺フレーム部材に当接させて位置決めし、バンドで固定したので、安価な構成とすることが可能で、組立又は分解も容易となる。
【図面の簡単な説明】
【図１】実施の形態の分解斜視図である。
【図２】組立斜視図である。
【図３】フィルタパックの詳細斜視図である。
【図４】他のフィルタパックの詳細斜視図である。
【図５】三辺フレーム部材の斜視図である。
【図６】右フレーム部の平面図である。
【図７】ピンを螺合した状態の右フレーム部の部分切欠正面図である。
【図８】組立工程図である。
【図９】組立工程図である。
【符号の説明】
１  フィルタパック
２  一辺フレーム部材
３  三辺フレーム部材
４  挿通孔
５  ピン
５ａ  ねじ部
５ｂ  軸部
５ｃ  フランジ部
６、７  面ファスナ
２１  濾材
２２  スペーサ
３１  左フレーム部
３２  右フレーム部
３３  下フレーム部
４５  貫通孔
４６  ねじ孔
【図１】
0003645828.tif 000002
【図２】
0003645828.tif 000003
【図３】
0003645828.tif 000004
【図４】
0003645828.tif 000005
【図５】
0003645828.tif 000006
【図６】
0003645828.tif 000007
【図７】
0003645828.tif 000008
【図８】
0003645828.tif 000009
【図９】
0003645828.tif 000010